(57)【要約】【課題】  作動ギヤの回転力を受けて往動する主動部材と、この主動部材に追随する従動部材とを有し、従動部材の動作と関連してディスクの装填及び取出しに関与するディスク再生補助手段を動作させるディスク再生装置において、従動部材の主動部材への追随動作に関する機構を簡素化する。【解決手段】  主動部材２７の往動時には、往動時当接壁３８と回動片６４の係合突部６６とが当接するまでは主動部材が単独で往動し、その後、従動部材２６を追随させる。また、主動部材の復動時には復動時当接壁３７と係合突部との当接により直ちに従動部材を追随させ、従動部材が初期位置に達してその後の復動が禁止された後は、前記係合突部が前記復動時当接壁に沿って上方へ回動し、主動部材を単独でその初期位置まで戻る。【選択図】図８
2009238346.tif 000002
【特許請求の範囲】
【請求項１】
モータ（１５）に駆動される作動ギヤ（１８）と、一部にラック（２９）を有してほぼ水平方向往復動自在に設けられ、ディスク挿入に関連してそのラックを前記作動ギヤに噛合させ、該作動ギヤの一方向回転力を受けて往動すると共に、ディスク排出時には該作動ギヤの他方向回転力を受けて復動する主動部材（２７）と、この主動部材と平行に往復動自在に設けられ主動部材の往動時にはその往動途中から該主動部材に追随し、該主動部材の復動時には初期位置まで該主動部材に追随する従動部材（２６）と、この従動部材の往復動作に関連動作してディスクの装填及び取出しに関与するディスク再生補助手段とを具備したディスク再生装置において、
係合突部（６６）を有して前記主動部材又は従動部材の一方に、該係合突部を上下させる如く回動自在に設けられた回動片（６４）と、
前記係合突部が下方位置にあるときこの係合突部と対向する当接面（３７ａ，３８ａ）を有して前記主動部材又は従動部材の他方に設けられ、主動部材の一定量の往動に伴い上方位置から下方位置へ移動した前記係合突部にその当接面を当接させて従動部材を主動部材に追随させる往動時当接壁（３８，７１）と、
前記係合突部が下方位置にあるときこの係合突部と対向する当接面を有して前記主動部材又は従動部材の他方に設けられ、主動部材の復動に伴いその当接面を下方位置にある前記係合突部に当接させて従動部材をその初期位置まで主動部材に追随させ、その後の主動部材の復動に伴いその当接面に沿って前記係合突部を上方位置へ移動させる復動時当接壁（３７，７０）とを具備したことを特徴とするディスク再生装置。
【請求項２】
前記係合突部を、前記回動片の回動軸（６５）と平行な軸を有する断面円形としたことを特徴とする請求項１に記載のディスク再生装置。
【請求項３】
前記往動時当接壁は、前記係合突部と当接する当接面と前記復動時当接壁より高位置において前記係合突部側に傾斜する傾斜面（３８ｂ，７２）とを有することを特徴とする請求項１に記載のディスク再生装置。
【請求項４】
前記往動時当接壁及び復動時当接壁を、前記主動部材及び従動部材の往復動方向に直交させ、前記係合突部の中心は、該係合突部が前記復動時当接壁上にあっても前記回動軸の中心より低位置に設定されていることを特徴とする請求項２に記載のディスク再生装置。
【請求項５】
前記復動時当接壁の、前記主動部材及び従動部材の往復動方向に対する往動時当接壁側の角度を鈍角に設定したことを特徴とする請求項２に記載のディスク再生装置。
【発明の詳細な説明】
【技術分野】
【０００１】
本発明は、作動ギヤの回転力を受けて往動する主動部材と、この主動部材に追随する従動部材とを有し、従動部材の動作に関連してディスクの装填及び取出しに関与するディスク再生補助手段を動作させるディスク再生装置に係り、特に、従動部材の主動部材への追随動作に関する機構を簡素化したディスク再生装置に関する。
【背景技術】
【０００２】
ディスク再生装置において、ラックを備えた主動部材と、これに追随する従動部材とを設け、ディスクの挿入に関連して主動部材のラックを作動ギヤに噛合させて該主動部材を往復動作させ、この主動部材に従動部材を追随させて、従動部材の動きにより、ディスク搬送機構、クランパ機構等のディスク再生補助手段を動作させる機構が多用されている。この種の機構において、主動部材と従動部材とのストロークに差異があるときは、主動部材の往動途中から従動部材を追随させ、復動時には主動部材の復動途中で従動部材を切り離す必要がある。
【０００３】
特許文献１には、このような機構が開示されている。すなわち、ディスク挿入時には、検知部材（９４）が回動し、検知部材（９４）に設けられたトリガーピン（９７）によって、噛合せ部材（５１）が圧縮スプリング（５４）の付勢力に対抗してＹ２方向へ押し出され、噛合せ部材（５１）に形成されたラック歯（５２）がピニオン歯車（５７）と噛み合う。このピニオン歯車５７の回転力で噛合せ部材（５１）がＹ２方向へ引かれ、これに追従して切換えスライダー（１５）もＹ２方向へ引かれて、切換えスライダー（１５）に設けられたラック歯（５３）もピニオン歯車（５７）に噛み合う。
【０００４】
また、ディスク排出時には、ピニオン歯車（５７）がディスク挿入時とは逆回転し、この回転力によって、切換えスライダー（１５）がＹ１方向へ移動させられる。そして、切換えスライダー（１５）を圧縮スプリング（５４）を介して押戻し、ラック歯（５２）とピニオン歯車（５７）との噛合を解除するようにしている。
【０００５】
また、ラックを有する主動部材と、これに追随する従動部材との関係については、特許文献２には次のような構成が開示されている。すなわち、ラック部材（３２）とスライダ（２７）との間に引張コイルばね（６０）を掛渡し、ディスク挿入時には引張コイルばね（６０）を引伸ばしながらラック部材（３２）を往動させてそのラック（３３）を駆動ギヤ（６３）に噛合させ、駆動ギヤ（６３）の回転力でラック部材（３２）を更に往動させ、このラック部材（３２）の動きをレバー（７０）の係合ピン（７１）を介してスライダ（２７）をラック部材（３２）に追随させる。スライダ（２７）の復動時には、当初はラック部材（３２）をスライダ（２７）に追随させ、スライダ（２７）が初期位置に復帰した後は、ラック部材（３２）が単独で復動して初期位置に復帰する。
【特許文献１】特開２００５−７８６８１号
【特許文献２】特開２００４−３１８９６０号
【発明の開示】
【発明が解決しようとする課題】
【０００６】
特許文献１に示された構成では、噛合せ部材と切換えスライダーとの間に圧縮スプリングを介挿し、ディスク挿入時には圧縮スプリングを更に圧縮させながら噛合せ部材を往動させて圧縮スプリングを極限まで圧縮した後に切換えスライダーを追随させることになる。また、噛合せ部材部材の復動時にはピニオンにより噛合せ部材と切換えスライダーが同時に移動して、まずスライダーのラックがピニオンから外れ、続いて噛合せ部材のラックがピニオンから外れて該噛合せ部材が圧縮スプリングにより弾かれるように初期位置に復帰することになる。
【０００７】
そこで、特許文献１の構成によれば、両部材間に圧縮スプリングを介挿することによって、噛合せ部材のみ移動させたり、両部材を一緒に移動させるようにしているので、この圧縮スプリングの弾性力がピニオンに対する、ひいてはモータに対する負荷となる問題がある。
また、噛合せ部材は復動時の最終段階で圧縮スプリングにより弾かれるようにして初期位置に戻されることになるので、振動や騒音発生の原因となったり、部品の耐久性を損ねるおそれもあった。
【０００８】
また、特許文献２の構成によれば、両部材間に引張りコイルばねを掛渡し、かつ両部材間にレバーを介在させることによって、ラック部材のみ移動させたり、両部材を一緒に移動させるようにしているので、引張りコイルばねの弾性力が駆動ギヤに対する、ひいてはモータに対する負荷となる問題がある。
更に、前記引張りコイルばねに加えてレバーも両部材間に介在させているので、多くの部品を要し、構成が複雑となる問題もあった。
【０００９】
本発明は、このような問題に鑑みてなされたもので、モータへの負担を軽減できると共に、従動部材を主動部材に追随させるための機構を少ない部品点数によって簡素化したディスク再生装置を提供することを目的とする。
【課題を解決するための手段】
【００１０】
本発明は、モータに駆動される作動ギヤと、一部にラックを有して往復動自在に設けられ、ディスク挿入に関連してそのラックを前記作動ギヤに噛合させ、該作動ギヤの一方向回転力を受けて往動すると共に、ディスク排出時には該作動ギヤの他方向回転力を受けて復動する主動部材と、この主動部材と平行に往復動自在に設けられ主動部材の往動時にはその往動途中から該主動部材に追随し、該主動部材の復動時には初期位置まで該主動部材に追随する従動部材と、この従動部材の往復動作に関連動作してディスクの装填及び取出しに関与するディスク再生補助手段とを具備したディスク再生装置に関するもので、係合突部を有して前記主動部材又は従動部材の一方に、該係合突部を上下させる如く回動自在に設けられた回動片を設けている。
【００１１】
前記係合突部が下方位置にあるときこの係合突部と対向する当接面を有して前記主動部材又は従動部材の他方に設けられている。主動部材の一定量の往動に伴い上方位置から下方位置へ移動した前記係合突部にその当接面を当接させて従動部材を主動部材に追随させる往動時当接壁を設けている。
前記係合突部が下方位置にあるときこの係合突部と対向する当接面を有して前記主動部材又は従動部材の他方に設けられ、主動部材の復動に伴いその当接面を下方位置にある前記係合突部に当接させて従動部材をその初期位置まで主動部材に追随させ、その後の主動部材の復動に伴いその当接面に沿って前記係合突部を上方位置へ移動させる復動時当接壁を具備している。
【００１２】
前記係合突部を、前記回動片の回動軸と平行な軸を有する断面円形とするとよい。
【００１３】
前記往動時当接壁は、前記係合突部と当接する当接面と前記復動時当接壁より高位置において前記係合突部側に傾斜する傾斜面とを有するとよい。
【００１４】
係合突部を、前記回動片の回動軸と平行な軸を有する断面円形とし、前記往動時当接壁及び復動時当接壁を、前記主動部材及び従動部材の往復動方向に直交させ、前記係合突部の中心は、該係合突部が前記復動時当接壁上にあっても前記回動軸の中心より低位置にあるようにするとよい。
【００１５】
前記復動時当接壁の、前記主動部材及び従動部材の往復動方向に対する往動時当接壁側の角度を鈍角に設定するとよい。
【発明の効果】
【００１６】
本発明によれば、特許文献１又は２のように、前記主動部材と従動部材との間にばねを介在させないので、作動ギヤに対する、ひいてはモータに対する負荷を軽減できると共に、部品数が減少して簡単かつ安価な構成となる。
【００１７】
また、前記係合突部を、前記回動片の回動軸と平行な軸を有する断面円形とすることにより、係合突部を復動時当接壁に沿って円滑に移動させることができる。
【００１８】
前記往動時当接壁は、前記係合突部と当接する当接面と前記復動時当接壁より高位置において、この傾斜面で、係合突部を、往動時当接壁の押圧壁と復動時当接壁との間に円滑に誘導することができる。
【００１９】
前記係合突部の中心を常に、前記回動軸の中心より低位置に設定すると、ディスク挿入時に係合突部は自重で復動時当接壁上から往動時当接壁の当接面と復動時当接壁の当接面との間に落下する。そこで、当接面で係合突部を押して従動部材を主動部材に円滑に追随させることができる。
【００２０】
また、係合突部を、前記回動片の回動軸と平行な軸を有する断面円形とし、前記復動時当接壁を、前記主動部材及び従動部材の往復動作方向に対して鈍角とすると、両部材の復動時に係合突部を復動時当接壁に沿って円滑に上昇させることができる。
【発明を実施するための最良の形態】
【００２１】
以下、本発明を実施するための実施の形態を、図面を参照して説明する。
図１は車載用のディスク再生装置を示す斜視図である。ディスク再生装置１の正面には、ディスクを挿出するディスク挿入口２が設けられている。矢印Ａはディスク挿入方向を示し、その逆方向はディスク排出方向となる。そして、これらディスク挿入方向とディスク排出方向とを合わせて、ディスク挿出方向と称することにする。
【００２２】
図２は、ディスク再生装置を、上ユニット３と、フローティング機構４と、下ユニット５とに分けて示す分解斜視図である。
【００２３】
前記上ユニット３は、図１及び図２に示すように、上フレーム６に、ディスク検知機構７等を取付けて構成されている。またフローティング機構４は、図２に示すように、フローティングシャーシ８にピックアップ９等を有するピックアップユニット、ターンテーブル１０、クランパ機構及びシャーシロック機構等を取付けて構成されている。前記クランパ機構は、クランパ１１を支持したクランパ支持板１３を上下回動させて、クランパ１１をターンテーブル１０に対して離接させるものである。下ユニット５は、下フレーム１２上に搬送ローラ機構等を取り付けて構成されている。
【００２４】
図３は前記フローティング機構４の平面図で、フローティングシャーシ８の一部は仮想線で示してある。前記フローティングシャーシ８は金属板製で、前記ピックアップユニットは、ピックアップ９、ピックアップガイド１４、モータ１５、前記ガイド１４と平行に設けられた送りねじ１６及びこの送りねじ１６に動力的に結合されたピックアップ側伝達ギヤ１７等から構成されている。
前記フローティングシャーシ８下面右端部には、作動ギヤ１８が取付けられている。前記モータ１５に直結されたウォームギヤ１９には第一ギヤ２０を噛合させ、この第一ギヤ２０の軸を中心に回動自在な切換板２１上には第二ギヤ２２が取付けられ、これら第一ギヤ２０、第二ギヤ２２及び切換板２１により、切換手段２３が構成されている。前記第二ギヤ２２は第一ギヤ２０に常時噛合し、切換板２１の回動により第二ギヤ２２を前記ピックアップ側伝達ギヤ１７又は作動ギヤ１８のいずれかに選択的に噛合させ、前記モータ１５の動力を、切換手段２３を介して前記ピックアップ側伝達ギヤ１７又は作動ギヤ１８に選択的に伝達するようにしている。
【００２５】
前記フローティングシャーシ８の右側面には従動部材としてのスライド板２６が、ディスク挿出方向に進退自在に取付けられている。このスライド板２６は、ディスク挿出方向に移動することにより、ディスクの装填及び取出しに関与する搬送ローラ機構、クランパ機構及びシャーシロック機構等の、ディスク再生補助手段を動作させるものである。また、フローティングシャーシ８の下面には、スライド板２６と前記作動ギヤ１８との間には、合成樹脂製の、主動部材としてのトリガ部材２７が取付けられている。このトリガ部材２７は中間部において僅かに屈曲した形状をなし、その一端に当接部２８を有すると共に、他端側の左縁部にラック２９を有し、前記中間部、すなわち当接部２８とラック２９との間の上面に、断面円形の軸部３０を有し、図４に示すように、軸部３０の上端には軸部３０より幅広の抜け止め部３１を有している。前記当接部２８は、フローティングシャーシ８に設けられた開口を通してシャーシ８の上面側に突出している。
【００２６】
さらにトリガ部材２７の上面には、前記ラック２９の近傍位置において、摺接部としての、小円柱状の突部３３が設けられている。前記フローティングシャーシ８には、立上がり片３４が、前記当接部２８の右方に位置させて設けられている。前記トリガ部材２７には、前記ラック２９のディスク挿入方向側端部に弾性をもたせるためのスリット３５が設けられている。このスリット３５を設けたことにより、ラック２９の、前記作動ギヤ１８に対する噛合が円滑に行なわれることになる。
【００２７】
また、図４、５に示すように、前記トリガ部材２７の上面には、前記ラック２９と反対側の右縁部から右方へ突出する係合部３６が設けられている。この係合部３６は、トリガ部材２７及びスライド板２６の往復動方向に間隔をあけて、ディスク挿入方向側の復動時当接壁３７とディスク排出方向側の往動時当接壁３８とを有する当接面３７ａ，３８ａ（図８参照）を有し、往動時当接壁３８は、復動時当接壁３７より右方に位置している。また、図８及び図９に示す如く、往動時当接壁３８は、その当接面３８ａの上方に、復動時当接壁３７側に傾斜した傾斜面３８ｂを有している。前記復動時当接壁３７の当接面３７ａの上端には面取りが施され、スライド板２６には、往動時当接壁３８を左方より挿入させる係合孔４０が設けられている。
【００２８】
前記フローティングシャーシ８には、図４及び図５に示すように、ディスク挿出方向に長いガイド溝４１が設けられ、このガイド溝４１に前記トリガ部材２７の軸部３０を下方より挿入させて、この軸部３０をディスク挿入方向に進退自在にガイドするようにしている。また、トリガ部材２７は、軸部３０の中心を回動支点として回動自在ともなっている。ガイド溝４１のディスク挿入方向側の端部には、前記抜け止め部３１が挿通可能な着脱口４２が設けられており、トリガ部材２７のフローティングシャーシ８への取り付けは、抜け止め部３１をフローティングシャーシ８の下面側から着脱口４２に挿通させた後、前記軸部３０をディスク排出方向へスライドさせて前記軸部３０をガイド溝４１に挿入させることにより、容易に完了するようにしている。
また、前記フローティングシャーシ８には、ディスク挿出方向に長い長孔４５が設けられている。この長孔４５の右縁部は、ディスク排出方向側の端部を凹部４６、その他の部位を被摺接部４７とし、前記凹部４６の被摺接部４７と接する部位を例えば傾斜状の誘導部４８としている。該被摺接部４７と前記突部３３とで、噛合保持手段４９が簡単に構成することができる。前記被摺接部４７と、これに対向する長孔４５の左縁部との間隔は、前記突部３３を円滑に摺動させる寸法に設定されている。
【００２９】
トリガ部材２７とスライド板２６との間にはトーションばね５０が掛け渡されている。トーションばね５０の一端はスライド２６の一部に、他端はトリガ部材２７の前記当接部２８と回動支点５２との間に、それぞれ取付けられており、トーションばね５０の一端は、常に他端よりディスク挿入方向側に位置し、他端は、一端と回動支点とを結ぶ直線より左方に位置している。
【００３０】
図６に模式的に示すように、前記作動ギヤ１８は、大ギヤを挟んでその上面側に小ギヤ、下面側に中径のハスバギヤを有する三段ギヤであり、前記第一ギヤ２０は上方を小ギヤ、下方を大ギヤとする二段ギヤ、前記第二ギヤ２２は上方を大ギヤ、下方を小ギヤとする二段ギヤとなっている。
【００３１】
前記第一ギヤ２０は、その大ギヤをモータに直結されたウォームギヤ１９に噛合させ、小ギヤを第二ギヤ２２の大ギヤに噛合させている。前記第二ギヤ２２は、その大ギヤを前記伝達ギヤ１７に適宜噛合させ、小ギヤを作動ギヤ１８の大ギヤに適宜噛合させるようにしている。前記作動ギヤ１８は、その小ギヤに前記トリガ部材２７のラック２９を適宜噛合させるようにし、ハスバギヤをフローティングシャーシ８の下面に平行に配置された第二ウォームギヤ５４に常時噛合させている。
【００３２】
前記第二ウォームギヤ５４には、第一搬送ギヤ５５のハスバギヤを噛合させ、該第一搬送ギヤ５５のギヤ部には第二搬送ギヤ５６を噛合させている。この第二搬送ギヤ５６はフローティングシャーシ８の上面側に位置し、このギヤ５６には、適宜、第三搬送ギヤ５７が噛合される。
【００３３】
該第三搬送ギヤ５７は、図７に示すように搬送ローラ５８の一端に設けられ、搬送ローラ５８を支持するブラケット５９は、下フレーム１２に取付けられる。前記第二ウォームギヤ５４、第一搬送ギヤ５５、第二搬送ギヤ５６、第三搬送ギヤ５７、搬送ローラ５８及びブラケット５９は、前記搬送ローラ機構を構成している。
【００３４】
前記スライド板２６には図１０に示すように、前記係合孔４０を挟んでそのディスク挿入方向側とディスク排出方向側に、それぞれシャーシロック機構の一部を構成するロック溝６１，６２が設けられている。また、ロック溝６２の上方に取付孔６３を有し、この取付孔６３に、回動片６４の軸６５を回動自在に嵌合させている。回動片６４は、その回動端部から左右に突出する円筒状の係合突部６６を有し、図８に示す如く、ディスク挿入前は、この係合突部６６を前記係合孔４０内において前記復動時当接壁３７上に位置させている。なお、前記復動時当接壁３７の当接面３７ａと前記往動時当接壁３８の当接面３８ａとの間の側面より見た間隔は、係合突部６６が円滑に出入りでき、しかも係合突部６６を介在させた状態で各壁間に余分な隙間を生じさせないように設定されている。また、後述の如く、ディスク挿入前は係合突部６６が復動時当接壁３７上に位置することになるが、この状態でも係合突部６６の中心は軸６５の中心より低位置になるように設定されている。係合突部６６は、下方位置、すなわち、往動時当接壁３８の当接面３８ａと復動時当接壁３７の当接面３７ａとの間にあるときは、前記トリガ部材２７の往復動に伴いいずれかの当接面３７ａ，３８ａと当接してスライド板２６をトリガ部座２７に追随させ、上方位置、すなわち、復動時当接壁３７上にあるときは、追随させない位置となる。
【００３５】
前記係合孔４０は、図８ないし図１０に示すように、ディスク排出方向側の縁部を前記往動時当接壁３８の形状に合致させ、ディスク挿入方向側の縁部は、前記復動時当接壁３７の高さ部分を凹ませて、その凹みの上縁を段差部６８としている。
【００３６】
以上の如く構成されたディスク再生装置において、ディスク挿入前においては、スライド板２６は図３における下方位置に位置している。このとき、切換板２３は時計方向に回動した位置にあり、第二ギヤ２２は作動ギヤ１８に噛合している。また、前記トーションばね５０は図４の如く、前記トリガ部材２７をディスク排出方向へ付勢すると共に反時計方向へ回動付勢し、前記ラック２９を作動ギヤ１８から離反させている。また、前記回動片６４の係合突部６６は、図８に示すように、前記係合部３６の復動時当接壁３７上端にあるが、軸６５の中心は係合突部６６の中心より更に上方にあり、係合突部６６は、前記傾斜面３８ｂのディスク挿入側に位置している。
【００３７】
ディスク挿入口２からディスクDを挿入すると、ディスク検知機構７でディスクDの挿入を検知し、図示しないスイッチがオンされて、モータ１５（図３参照）が起動し、前記作動ギヤ１８はモータ１５に駆動されて反時計方向へ回動する。
【００３８】
挿入されたディスクDは、図５の如く前記トリガ部材２７の当接部２８を押し、トリガ部材２７をトーションばね５０に抗して時計方向へ回動させる。これによって、トリガ部材２７のラック２９が前記作動ギヤ１８に噛合する。
【００３９】
これによって、トリガ部材２７は作動ギヤ１８の回転力を受けてディスク挿入方向へ移動し、突部３３が被摺接部４７に摺接することにより、ラック２９と作動ギヤ１８との噛合状態が保持される。また、トリガ部材２７のディスク挿入方向への移動により係合部３６の復動時当接壁３７上端が係合突部６６上から外れて往動時当接壁３８の当接面３８ａと復動時当接壁３７の当接面３７ａとの間に自重により落下する。仮に、軸６５と取付孔６３との間の摩擦により自重で落下しない場合でも、係合部往動時当接壁３８の傾斜面３８ｂが係合突部６６に当接し、この係合突部６６を両当接面３７ａ，３８ａ間に誘導する。このとき係合孔４０の段差部６８が係合突部６７の上方に位置するので、両当接面３７ａ，３８ａ間から誤って上方へ抜け出すおそれはない。このようにして図９の如くトリガ部材２７が約４ｍｍほど移動した後は、トリガ部材２７の往動時当接壁３８の当接面３８ａが回動片６４の係合突部６６を押すので、スライド板２６がトリガ部材２７に追随して同方向へ移動する。なお、係合突部６６が係合孔４０のディスク挿入方向側縁部を押して、スライド板２６を追随させるようにしてもよい。このスライド板２６の移動に伴い、ディスク搬送機構、クランパ機構、シャーシロック機構等のディスク再生補助手段を動作させ、かつ、前記切換板２３が反時計方向へ回動し、第二ギヤ２２が伝達ギヤ１７に噛合してモータ１５の動力をピックアップ９側に伝達するようになり、再生動作が開始する。
【００４０】
次に、再生動作を終了してディスク取出し操作を行なうと、前記切換板２３が時計方向へ回動して第二ギヤ２２が作動ギヤ１８に噛合し、モータ１５が反転してその動力が作動ギヤ１８を介してトリガ部材２７に伝達され、トリガ部材２７がディスク排出方向へ移動する。このとき、復動時当接壁３７の当接面３７ａが回動片６４の係合突部６６をディスク排出方向へ押すので、スライド板２６もトリガ部材２７に追随して復動する（図９）。このスライド板２６の復動により、シャーシロック機構がフローティングシャーシ８をロックすると共にクランパ１１が上昇し、ディスクが搬送機構により搬出されるなど、ディスク再生補助手段が所定の動作を行なうことになる。
【００４１】
その後もトリガ部材２７はディスク排出方向へ移動するが、スライド板２６は、初期位置まで復帰した後は移動が規制される。このとき、係合突部６６の中心は軸６５中心より低位置にあるので（図８及び図９）係合突部６６が復動時当接壁３７に押されると、その圧力の上方向への分力を受けて、復動時当接壁３７の当接面３７ａに沿って上昇し、図８の如く、復動時当接壁３７の上端に乗り上げる。
このとき突部３３は被摺接部４７に摺接してディスク排出方向へ移動した後、被摺接部４７から外れて凹部４６内へ落込む。そして、前記トリガ部材２７はトーションばね５０によって図４の如く再び反時計方向へ回動し、ラック２９を作動ギヤ１８から離反させることになる。
【００４２】
ところで、図４から図５に至る過程において、トリガ部材２７がディスクDに押されて時計方向へ回動するとき、突部３３も時計方向に回動するが、未だラック２９が作動ギヤ１８に噛合するに至らないままトリガ部材２７がディスクに押されてディスク挿入方向に移動した場合には、突部３３は誘導部４８に当接した後、この誘導部４８に沿って被摺接部４７へ円滑に移動することになる。
また、ディスクDがトリガ部材２７の当接部２８を押した際、トリガ部材２７が、回動に先立って、まずディスク挿入方向へ移動した場合にも、突部３３は誘導部４８に当接した後、この誘導部４８に沿って被摺接部４７へ円滑に移動し、ラック２９を作動ギヤ１８に噛合させることになる。
なお、誘導部４８は直線的な傾斜に限らず曲線状としてもよい。
【００４３】
なお、以上の実施の形態では、回動片６４を従動部材であるスライド板２６に設け、往動時当接壁３８及び復動時当接壁３７を主動部材であるトリガ部材２７に設けるものとしたが、これらを逆にすることも可能である。すなわち、回動片６４をトリガ部材２７に設け、往動時当接壁３８及び復動時当接壁３７をスライド板２６に設けるのである。
【００４４】
この場合、ディスク挿入前は、トリガ部材２７はスライド板２６と共にディスク排出方向の初期位置にあって、回動片６４の係合突部６６は往動時当接壁３８の上端にある。
ここで、ディスクＤの挿入によりモータ１５が起動して作動ギヤ１８が回転し、ラック２９を作動ギヤ１８に噛合させてディスク挿入方向へ往動すると回動片６４の係合突部６６が復動時当接壁３７の上端から外れ、復動時当接壁３７と往動時当接壁３８との間に自重により落下する。
【００４５】
この状態でトリガ部材２７が更にディスク挿入方向へ移動すると、係合突部６６が往動時当接壁３８を押し、スライド板２６がトリガ部材２７に追随して往動方向へ移動するようになる。
次に、トリガ部材２７の復動時には係合突部６６が復動時当接壁３７を復動方向へ押すので、スライド板２６もトリガ部材２７に直ちに追随して、復動方向へ移動する。
そして、スライド板２６が初期位置に達し、トリガ部材２７に追随できなくなると、係合突部６６を復動時当接壁３７に沿ってその上端へ移動させながら、トリガ部材２７のみ単独で初期位置まで移動する。
【００４６】
図１１は本発明の別の実施の形態を示すもので、復動時当接壁７０を往動方向に傾けるものとする。すなわち、往動時当接壁７１の、トリガ部材２７及びスライド板２６の往復動方向に対する往動時当接壁側７１の角度を鈍角に設定するものとする。例えば、復動時当接壁７０を往動時当接壁７１の傾斜面７２を有する傾斜壁とほぼ平行とし、他の構成は前記実施の形態と同様とする。
【００４７】
このように構成すると、ディスクの挿入によりトリガ部材２７の往動により、回動片６４の係合突部６６は復動時当接壁７０の上端から該復動時当接壁７０に沿って復動時当接壁７０と往動時当接壁７１との間に自重により下降し、トリガ部材２７及びスライド板２６の復動時には、スライド板２６が初期位置に達した後、復動時当接壁７０の傾斜に沿ってその上端まで容易かつ円滑に上昇することになる。
【図面の簡単な説明】
【００４８】
【図１】本発明の一実施形態におけるディスク再生装置の斜視図。
【図２】同ディスク再生装置の分解斜視図。
【図３】フローティング機構の平面図。
【図４】ディスク挿入前におけるトリガ部材、作動ギヤ及びトーションばねの関係を示す平面図。
【図５】ディスク挿入時におけるトリガ部材、作動ギヤ及びトーションばねの関係を示す平面図。
【図６】動力伝達経路を模式的に示す図。
【図７】搬送ローラ周辺を示す斜視図。
【図８】ディスク挿入前におけるトリガ部材とスライド板との関係を示す側面図。
【図９】ディスク挿入後におけるトリガ部材とスライド板との関係を示す側面図。
【図１０】スライド板と回動片との関係を示す斜視図。
【図１１】本発明の別の実施形態における往動当接壁、復動当接壁及び係合突部との関係を示す側面図。
【符号の説明】
【００４９】
１５                  モータ
１８                  作動ギヤ
２６                  スライド板（従動部材）
２７                  トリガ部材（主動部材）
２９                  ラック
３７，７０            復動時当接壁
３８，７１            往動時当接壁
３７ａ，３８ａ        当接面
３８ｂ，７２          傾斜面
６４                  回動片
６５                  軸（回動軸）
６６                  係合突部
【図２】
2009238346.tif 000003
【図４】
2009238346.tif 000004
【図５】
2009238346.tif 000005
【図８】
2009238346.tif 000006
【図９】
2009238346.tif 000007
【図１０】
2009238346.tif 000008
【図１１】
2009238346.tif 000009
【図１】
2009238346.tif 000010
【図３】
2009238346.tif 000011
【図６】
2009238346.tif 000012
【図７】
2009238346.tif 000013